(57)【要約】【課題】立体画像を表示する際のクロストークを低減した有機ＥＬ表示装置を提供する。【解決手段】有機ＥＬ表示装置１００は、基板１１０と、基板１１０上に積層される駆動回路１２０と、有機ＥＬからなる層であって、駆動回路１２０によって駆動されて発光する発光層１３０と、発光層１３０上に積層され、発光層１３０から出力される光を透過する封止層１４０と、第１の画素線に対応する位置に配置され、封止層１４０を透過した光を前記第１の方向に偏光する第１の偏光板１５１、及び第２の画素線に対応する位置に配置され、封止層１４０を透過した光を第２の方向に偏光する第２の偏光板１５２を有する偏光制御板１５０とを備え、偏光制御板１５０は、（ｉ）封止層１４０より上で、且つ（ｉｉ）封止層１４０に接する位置、又は封止層１４０との間に特定の色の光を選択的に透過させるカラーフィルタのみが介在する位置に積層される。【選択図】図２
2012204012.tif 000002
【特許請求の範囲】
【請求項１】
左眼用画像の光を第１の方向に偏光して出力する第１の画素線と、前記左眼用画像に対して視差を有する右眼用画像の光を前記第１の方向と交差する第２の方向に偏光して出力する第２の画素線とを交互に配置することによって、立体画像を表示する有機ＥＬ表示装置であって、
基板と、
前記基板上に積層される駆動回路と、
有機ＥＬからなる層であって、前記駆動回路によって駆動されて発光する発光層と、
前記発光層上に積層され、前記発光層から出力される光を透過する封止層と、
前記第１の画素線に対応する位置に配置され、前記封止層を透過した光を前記第１の方向に偏光する第１の偏光板、及び前記第２の画素線に対応する位置に配置され、前記封止層を透過した光を前記第２の方向に偏光する第２の偏光板を有する偏光制御板とを備え、
前記偏光制御板は、（ｉ）前記封止層より上で、且つ
（ｉｉ）前記封止層に接する位置、又は前記封止層との間に特定の色の光を選択的に透過させるカラーフィルタのみが介在する位置に積層される
有機ＥＬ表示装置。
【請求項２】
前記偏光制御板と前記封止層とは、互いに接しており、
前記カラーフィルタは、前記偏光制御板上に積層されている
請求項１に記載の有機ＥＬ表示装置。
【請求項３】
前記カラーフィルタは、
画素単位で交互に配置される赤色フィルタ、緑色フィルタ、及び青色フィルタと、
隣接する各色フィルタの境界に、遮光性を有するブラックマトリクスとを備える
請求項１又は２に記載の有機ＥＬ表示装置。
【請求項４】
前記第１及び第２の偏光板の境界には、遮光性を有するブラックマトリクスが配置されている
請求項１に記載の有機ＥＬ表示装置。
【請求項５】
該有機ＥＬ表示装置は、さらに、前記偏光制御板より上に積層される透明基板を備える
請求項１〜４のいずれか１項に記載の有機ＥＬ表示装置。
【請求項６】
前記第１の偏光板は、前記封止層を透過した光をλ／４だけ左円偏光させ、
前記第２の偏光板は、前記封止層を透過した光をλ／４だけ右円偏光させる
請求項１〜５のいずれか１項に記載の有機ＥＬ表示装置。
【請求項７】
左眼用画像の光を第１の方向に偏光して出力する第１の画素線と、前記左眼用画像に対して視差を有する右眼用画像の光を前記第１の方向と交差する第２の方向に偏光して出力する第２の画素線とを交互に配置することによって、立体画像を表示する有機ＥＬ表示装置であって、
基板と、
前記基板上に積層される駆動回路と、
有機ＥＬからなる層であって、前記駆動回路によって駆動されて発光する発光層と、
前記発光層上に積層され、前記発光層から出力される光を透過する封止層と、
前記封止層より上に積層される透明基板と、
前記透明基板より上の前記第１の画素線に対応する位置に配置され、前記透明基板を透過した光を前記第１の方向に偏光する第１の偏光板、及び前記透明基板より上の前記第２の画素線に対応する位置に配置され、前記透明基板を透過した光を前記第２の方向に偏光する第２の偏光板を有する偏光制御板とを備え、
前記透明基板の厚みは、０．２ｍｍ未満である
有機ＥＬ表示装置。
【発明の詳細な説明】
【技術分野】
【０００１】
本発明は、有機ＥＬ表示装置、特に、偏光眼鏡方式で立体画像を表示する有機ＥＬ表示装置に関するものである。
【背景技術】
【０００２】
従来の偏光眼鏡方式で立体画像を表示可能な従来の有機ＥＬ表示装置１０は、例えば、図８に示されるような積層構造となっている。図８に示される有機ＥＬ表示装置１０は、基板２０と、駆動回路３０と、発光層４０と、封止層５０と、透明基板６０と、偏光制御板７０とを、この順に積層して構成される。
【０００３】
なお、発光層４０は、反射電極（下部電極）４１と、正孔注入層（ＨＩＬ）４２と、正孔輸送層（ＨＴＬ）４３と、有機発光層４４と、電子輸送層（ＥＴＬ）４５と、透明電極（上部電極）４６とを、駆動回路３０上にこの順に積層して構成される。また、封止層５０は、薄膜封止膜５１と、樹脂封止層５２とを、発光層４０上にこの順に積層して構成される。
【０００４】
そして、偏光制御板７０は、偏光方向が互いに直交する２つの偏光板７１、７２を交互に横ストライプ状に配列して構成される。また、発光層（画像表示部）４０には、その横ストライプのピッチに対応して左眼用画像と右眼用画像とが交互に横ストライプ状の視差画像として表示される。そして、観察者は、偏光方向が直交する偏光板を左右の眼に対応する位置に配置した偏光めがねをかけて有機ＥＬ表示装置１０を見ることにより、立体画像を視聴することができる(例えば、特許文献１参照）。
【先行技術文献】
【特許文献】
【０００５】
【特許文献１】特開２００３−３５８８５号公報
【発明の概要】
【発明が解決しようとする課題】
【０００６】
図８に示すように、従来の有機ＥＬ表示装置１０は、透明基板６０の上に、左眼用の偏光板７１及び右眼用の偏光板７２を備えた偏光制御板７０を積層して構成される。すなわち、発光層４０と偏光制御板７０との間には、透明基板６０、さらにはカラーフィルタ（図示省略）等が積層されている。
【０００７】
このように、偏光制御板７０と発光層（画素）４０との距離が離れている従来の構成では、観察者の眼の高さが変わると、本来左眼に入射すべき左眼用画像光が右眼に入射し、本来右眼に入射すべき右眼用画像光が左眼に入射する、いわゆるクロストークの課題が生じる恐れがある。
【０００８】
本発明は、上記従来の課題に鑑みてなされたものであり、立体画像を表示する際のクロストークを低減した有機ＥＬ表示装置の提供を目的とする。
【課題を解決するための手段】
【０００９】
本発明の一形態に係る有機ＥＬ表示装置は、左眼用画像の光を第１の方向に偏光して出力する第１の画素線と、前記左眼用画像に対して視差を有する右眼用画像の光を前記第１の方向と交差する第２の方向に偏光して出力する第２の画素線とを交互に配置することによって、立体画像を表示する。具体的には、基板と、前記基板上に積層される駆動回路と、有機ＥＬからなる層であって、前記駆動回路によって駆動されて発光する発光層と、前記発光層上に積層され、前記発光層から出力される光を透過する封止層と、前記第１の画素線に対応する位置に配置され、前記封止層を透過した光を前記第１の方向に偏光する第１の偏光板、及び前記第２の画素線に対応する位置に配置され、前記封止層を透過した光を前記第２の方向に偏光する第２の偏光板を有する偏光制御板とを備える。そして、前記偏光制御板は、（ｉ）前記封止層より上で、且つ（ｉｉ）前記封止層に接する位置、又は前記封止層との間に特定の色の光を選択的に透過させるカラーフィルタのみが介在する位置に積層される。
【００１０】
上記構成によれば、偏光制御板と発光層との間の距離を近づけることができるので、クロストークの少ない立体視域を上下方向に拡大することができる。
【００１１】
一例として、前記偏光制御板と前記封止層とは、互いに接していてもよい。そして、前記カラーフィルタは、前記偏光制御板上に積層されていてもよい。
【００１２】
また、前記カラーフィルタは、画素単位で交互に配置される赤色フィルタ、緑色フィルタ、及び青色フィルタと、隣接する各色フィルタの境界に、遮光性を有するブラックマトリクスとを備えてもよい。
【００１３】
また、前記第１及び第２の偏光板の境界には、遮光性を有するブラックマトリクスが配置されていてもよい。
【００１４】
さらに、該有機ＥＬ表示装置は、前記偏光制御板より上に積層される透明基板を備えてもよい。
【００１５】
また、前記第１の偏光板は、前記封止層を透過した光をλ／４だけ左円偏光させてもよい。前記第２の偏光板は、前記封止層を透過した光をλ／４だけ右円偏光させてもよい。
【００１６】
本発明の他の形態に係る有機ＥＬ表示装置は、左眼用画像の光を第１の方向に偏光して出力する第１の画素線と、前記左眼用画像に対して視差を有する右眼用画像の光を前記第１の方向と交差する第２の方向に偏光して出力する第２の画素線とを交互に配置することによって、立体画像を表示する。具体的には、基板と、前記基板上に積層される駆動回路と、有機ＥＬからなる層であって、前記駆動回路によって駆動されて発光する発光層と、前記発光層上に積層され、前記発光層から出力される光を透過する封止層と、前記封止層より上に積層される透明基板と、前記透明基板より上の前記第１の画素線に対応する位置に配置され、前記透明基板を透過した光を前記第１の方向に偏光する第１の偏光板、及び前記透明基板より上の前記第２の画素線に対応する位置に配置され、前記透明基板を透過した光を前記第２の方向に偏光する第２の偏光板を有する偏光制御板とを備える。そして、前記透明基板の厚みは、０．２ｍｍ未満である。
【００１７】
上記構成によれば、透明基板の厚みを従来より遥かに薄くすることができる。その結果、従来と比較して偏光制御板と発光層との間の距離を近づけることができるので、クロストークの少ない立体視域を上下方向に拡大することができる。
【発明の効果】
【００１８】
本発明によれば、クロストークの少ない立体画像を表示することのできる有機ＥＬ表示装置を提供できる。
【図面の簡単な説明】
【００１９】
【図１】実施の形態１に係る有機ＥＬ表示装置の外観斜視図である。
【図２】実施の形態１に係る有機ＥＬ表示装置の積層構造を示す図である。
【図３】実施の形態２に係る有機ＥＬ表示装置の積層構造を示す図である。
【図４】実施の形態３に係る有機ＥＬ表示装置の積層構造を示す図である。
【図５】実施の形態４に係る有機ＥＬ表示装置の積層構造を示す図である。
【図６】実施の形態５に係る有機ＥＬ表示装置の積層構造を示す図である。
【図７】実施の形態６に係る有機ＥＬ表示装置の積層構造を示す図である。
【図８】従来の有機ＥＬ表示装置の積層構造を示す図である。
【発明を実施するための形態】
【００２０】
以下に，本発明の実施の形態及び実施例を説明するが，当然ながら本発明はこれらの形式に限定されるものでなく，本発明の技術的範囲を逸脱しない範囲で適宜変更して実施することができる。
【００２１】
以下本発明の実施の形態について、図１〜図７を参照しながら説明する。
【００２２】
（実施の形態１）
図１は、本発明の実施の形態１に係る有機ＥＬ表示装置１００の外観斜視図である。有機ＥＬ表示装置１００は、図１に示されるように、左眼用画像１０２Ｌを表示する第１の画素線１０１Ｌと、右眼用画像１０２Ｒを表示する第２の画素線１０１Ｒとが、表示面上に交互に配置されている。より具体的には、偶数画素行が第１の画素線１０１Ｌに対応し、奇数画素行が第２の画素線１０１Ｒに対応する。また、第１の画素線１０１Ｌから出力される左眼用画像の光は、第１の方向に偏光されている。一方、第２の画素線１０１Ｒから出力される右眼用画像の光は、第１の方向と異なる第２の方向に偏光されている。
【００２３】
一方、視聴者は、図１に示される偏光めがね９００を装着して、有機ＥＬ表示装置１００に表示される画像を視聴する。この偏光めがね９００は、視聴者の左眼に対応する位置に配置される左眼レンズ９１０と、視聴者の右眼に対応する位置に配置される右眼レンズ９２０とを備える。左眼レンズ９１０は、第１の方向に偏光された光のみを透過させる。一方、右眼レンズ９２０は、第２の方向に偏光された光のみを透過させる。
【００２４】
すなわち、視聴者は、左眼レンズ９１０を通して第１の画素線１０１Ｌ（偶数画素行）のみで構成される左眼用画像１０２Ｌ（図１の斜線部分の画素は無い）を視聴し、右眼レンズ９２０を通して第２の画素線１０１Ｒ（奇数画素行）のみで構成される右眼用画像１０２Ｒ（図１の斜線部分の画素は無い）を視聴する。ここで、左眼用画像１０２Ｌと右眼用画像１０２Ｒとが互いに視差を有する画像であれば、視聴者は、左眼用画像１０２Ｌ及び右眼用画像１０２Ｒを立体画像として認識する。
【００２５】
次に、図２を参照して、実施の形態１に係る有機ＥＬ表示装置１００の詳細な構造を説明する。図２は、有機ＥＬ表示装置１００を図１に示されるＡ−Ａ’断面で切断したときの鉛直方向に隣接する３つの画素１０３Ｒ、１０３Ｇ、１０３Ｂの積層構造を示す図である。
【００２６】
有機ＥＬ表示装置１００は、図２に示されるように、基板１１０と、駆動回路１２０と、発光層１３０と、封止層１４０と、偏光制御板１５０とを、この順に積層して構成される。
【００２７】
基板１１０は、例えば、ガラス基板である。また、基板１１０は、樹脂からなるフレキシブル基板を用いることも可能である。なお、基板１１０は透明である必要はないので、非透明の基板、例えば、シリコン基板を用いることもできる。
【００２８】
駆動回路１２０は、基板１１０の表面上に積層される。すなわち、本実施の形態における基板１１０と駆動回路１２０とは、互いに接する。なお、本明細書中では、積層構造における位置関係を説明する際に、背面側（基板に近い側）を下側、前面側（視聴者に近い側）を上側と表現することがある。
【００２９】
駆動回路１２０は、発光層１３０を発光させる薄膜トランジスタ（ＴＦＴ）を含む。より具体的には、駆動回路１２０には、スイッチ素子として動作するトランジスタと、駆動素子として動作するトランジスタと、対応する画素に表示するデータを記憶するキャパシタとが、画素１０３Ｒ、１０３Ｇ、１０３Ｂ毎に形成されている。
【００３０】
発光層１３０は、駆動回路１２０の表面上に積層される。すなわち、本実施の形態における駆動回路１２０と発光層１３０とは、互いに接する。発光層１３０は、反射電極（下部電極）１３１と、正孔注入層（ＨＩＬ）１３２と、正孔輸送層（ＨＴＬ）１３３と、有機発光層１３４と、電子輸送層（ＥＴＬ）１３５と、透明電極（上部電極）１３６とを、駆動回路１２０上にこの順に積層して構成される。なお、電子輸送層１３５に代えて電子注入層（ＥＩＬ）を積層してもよいし、電子輸送層１３５と透明電極１３６との間に電子注入層（ＥＩＬ）を追加してもよい。
【００３１】
反射電極１３１、正孔注入層１３２、正孔輸送層１３３、及び有機発光層１３４は、バンク１３７によって画素毎に分離（区画）されている。バンク１３７は、感光性樹脂によって形成されている。なお、図２は、バンク１３７が各画素の周囲を囲むピクセルバンクの例を示しているが、本発明はこれに限定されず、隣接する画素列の境界にバンクが配置されているラインバンクにも適用することができる。
【００３２】
反射電極１３１は、駆動回路１２０の表面上の各画素１０３Ｒ、１０３Ｇ、１０３Ｂそれぞれに対応する位置に分離形成される。反射電極１３１は、反射率の高い金属である、例えばＡｌ、Ａｇ、またはそれらの合金を使用することができる。
【００３３】
正孔注入層１３２は、反射電極１３１の表面上の各画素１０３Ｒ、１０３Ｇ、１０３Ｂそれぞれに対応する位置に分離形成される。正孔注入層１３２は、正孔を安定的に、又は正孔の生成を補助して、有機発光層１３４へ正孔を注入する機能を有する。これにより駆動電圧が低電圧化され、正孔注入の安定化により素子が長寿命化される。正孔注入層の材料としては、例えばＰＥＤＯＴ（ポリエチレンジオキシチオフェン）などを用いることができる。
【００３４】
正孔輸送層１３３は、正孔注入層１３２の表面上の各画素１０３Ｒ、１０３Ｇ、１０３Ｂそれぞれに対応する位置に分離形成される。正孔輸送層１３３は、正孔注入層１３２から注入された正孔を有機発光層１３４内へ効率良く輸送し、有機発光層１３４と正孔注入層１３２との界面での励起子の失活防止をし、さらには電子をブロックする機能を有する。正孔輸送層１３３は、例えば、生じた正孔を分子間の電荷移動反応により伝達する性質を有する有機高分子材料であり、例えば、トリフェルアミン、ポリアニリンなどが挙げられる。
【００３５】
有機発光層１３４は、正孔輸送層１３３の表面上の各画素１０３Ｒ、１０３Ｇ、１０３Ｂそれぞれに対応する位置に分離形成される。有機発光層１３４は、インクジェットやスピンコートのような湿式成膜法で成膜できる発光性の有機材料を用いることが好ましい。これにより、大画面の基板に対して、簡易で均一な成膜が可能となる。この材料としては、特に限定されるものではないが、高分子有機材料が好ましい。高分子有機材料としては、例えば、ポリチオフェン、ポリパラフェニレン、ポリフルオレンなどを挙げることができる。高分子有機材料の特徴としては、デバイス構造が簡単であること、膜の信頼性に優れ、低電圧駆動のデバイスであることも挙げることができる。実施の形態１での有機発光層１３４は、赤色（Ｒ）、緑色（Ｇ）、青色（Ｂ）の波長が揃っており、カラーフィルタを用いる必要はない。
【００３６】
電子輸送層１３５は、有機発光層１３４の表面上に、全画素に対して一体形成される。電子輸送層１３５は、透明電極１３６から注入された電子を有機発光層１３４内へ効率良く輸送し、有機発光層１３４と透明電極１３６との界面での励起子の失活防止をし、さらには正孔をブロックする機能を有する。
【００３７】
電子注入層（図示省略）は、有機発光層１３４の表面上に、全画素に対して一体形成される。電子注入層は、有機発光層１３４への電子注入の障壁を低減し駆動電圧を低電圧化すること、励起子失活を抑制する機能を有する。これにより、電子注入を安定化し素子を長寿命化すること、透明電極１３６との密着を強化し、発光面の均一性を向上させ素子欠陥を減少させることが可能となる。電子注入層は、例えば、バリウム、アルミニウム、フタロシアニン、フッ化リチウム、さらに、バリウム−アルミニウム積層体などからなる。
【００３８】
透明電極１３６は、電子輸送層１３５の表面上に、全画素に対して一体形成される。透明電極１３６は、反射電極１３１に対して負の電圧を有機発光層１３４に印加し、電子を特に有機発光層１３４に注入する機能を有する。透明電極１３６を構成する材料は特に限定されるものではないが、透過率の高い物質および構造を用いることが好ましい。これにより、発光効率が高いトップエミッション型の有機ＥＬを用いた発光デバイスを実現することができる。例えば、インジウム錫酸化物（以下、ＩＴＯと記す）、あるいはインジウム亜鉛酸化物（以下、ＩＺＯと記す）等の金属酸化物層が用いられる。
【００３９】
封止層１４０は、発光層１３０の表面上に積層される。すなわち、本実施の形態における発光層１３０と封止層１４０とは、互いに接する。封止層１４０は、薄膜封止膜１４１と、樹脂封止層１４２とを、発光層１３０（透明電極１３６）上にこの順で積層して構成されている。
【００４０】
薄膜封止膜１４１は、透明電極１３６の表面上に形成され、水分から素子を保護する機能を有する。ここで、薄膜封止膜１４１は、透明であることが要求されることから、薄膜封止膜１４１の材料としては、例えば、ＳｉＮ、ＳｉＯＮ、または有機膜などが挙げられる。
【００４１】
樹脂封止層１４２は、水分、酸素の侵入を防ぐ機能を有する。樹脂封止層１４２の材料としては、例えば、エポキシ樹脂などが挙げられる。ここで、薄膜封止膜１４１と樹脂封止層１４２とを纏めて、封止層１４０ということにする。
【００４２】
偏光制御板１５０は、封止層１４０（樹脂封止層１４２）の表面上に積層される。すなわち、本実施の形態おける封止層１４０と偏光制御板１５０とは、互いに接する。偏光制御板１５０は、ライン状の右眼用偏光板（第１の偏光板）１５１と左眼用偏光板（第２の偏光板）１５２とを、交互に配置して構成される。より具体的には、左眼用偏光板１５１は、第１の画素線１０１Ｌに対応する位置に配置される。一方、右眼用偏光板１５２は、第２の画素線１０１Ｒに対応する位置に配置される。
【００４３】
左眼用偏光板１５１は、封止層１４０を透過した光を第１の方向に偏光（左円偏光）する直線偏光板とλ／４位相板との組み合わせである。一方、右眼用偏光板１５２は、封止層１４０を透過した光を第１の方向と異なる第２の方向に偏光（右円偏光）する直線偏光板とλ／４位相板との組み合わせである。
【００４４】
発光層１３０から出力された光のうち、左眼用偏光板１５１を通過した光は、左円偏光となる。一方、右眼用偏光板１５２を透過した光は、右円偏光となる。そして、左眼用偏光板１５１に左眼用画像光を、右眼用偏光板１５２に右眼用画像光を透過させると、右眼用偏光板と左眼用偏光板とを備えた偏光めがね９００を掛けた観察者は、左眼用画像光及び右眼用画像光を立体画像として認識する。
【００４５】
図２に示される有機ＥＬ表示装置１００は、封止層１４０と偏光制御板１５０との間に透明基板が積層されていない点で、図８に示される従来の有機ＥＬ表示装置１０と相違する。これにより、従来と比較して偏光制御板１５０と発光層１３０との間の距離を近づけることができるので、クロストークの少ない立体視域を上下方向に拡大することができる。また、観察者の疲労も少なく、多人数での観察に適した立体画像表示装置を提供できる。
【００４６】
尚、偏光制御板１５０において、左眼用偏光板１５１と右眼用偏光板１５２との間にブラックマトリクス（図示省略）を配置してもよい。これにより、隣接する画素の光が混入しないので好ましい。
【００４７】
また、実施の形態１では、偏光制御板１５０には、左眼用偏光板１５１として光を左円偏光させるλ／４位相板、右眼用偏光板１５２として光を右円偏光させるλ／４位相板を用いたが、本発明の偏光制御板１５０はこれに限定されない。例えば、左眼用偏光板１５１及び右眼用偏光板１５２それぞれを透過した光が、互いに直交する直線偏光になるような偏光板を用いてもよい。また、楕円偏光の偏光方向が互いに逆になる偏光板でも良い。つまり、右眼用画像と左眼用画像との偏光方向が異なる偏光板であればこれらに限定されない。
【００４８】
また、有機ＥＬ表示装置１００で２次元画像を見る時は、観察者は偏光めがね９００をかけずに見るので、偏光の違いを認識せずにディスプレイのすべての画素を左右の各々の眼で見ることになり、通常の２次元ディスプレイと同じように見ることが出来る。一方、３次元画像を見る時には、観察者は左右の眼で偏光方向が異なっている偏光めがね９００をかけ、左右の眼それぞれで偏光方向の異なった画素のみを選択的に見ることになり、ディスプレイに偏光制御板１５０の横ストライプ状の左眼用偏光板１５１及び右眼用偏光板１５２の偏光方向に対応させて左右の視差画像を表示させて、立体画像を見ることが出来る。
【００４９】
（実施の形態２）
図３は、実施の形態２に係る有機ＥＬ表示装置２００の断面図であって、図２に対応する図である。なお、有機ＥＬ表示装置１００、２００の基本的な構成は共通するので、共通する構成要素には同一の参照番号を付し、詳しい説明を省略する。
【００５０】
有機ＥＬ表示装置２００は、図３に示されるように、基板１１０と、駆動回路１２０と、発光層１３０と、封止層１４０と、偏光制御板１５０と、透明基板１６０とを、この順に積層して構成されている。すなわち、実施の形態２に係る有機ＥＬ表示装置２００は、偏光制御板１５０上にさらに透明基板１６０を積層している点で、実施の形態１に係る有機ＥＬ表示装置１００と相違する。
【００５１】
偏光制御板１５０の表面上に積層される透明基板１６０は、ディスプレイの強度の確保と偏光制御板１５０を保護するために配置される。透明基板１６０を構成する材料は特に限定されないが、例えば、ガラスや透光性の樹脂などが挙げられる。
【００５２】
上記構成によっても、従来と比較して偏光制御板１５０と発光層１３０との間の距離を近づけることができるので、クロストークの少ない立体視域を上下方向に拡大することができる。
【００５３】
なお、実施の形態１と同様に、偏光制御板１５０の左眼用偏光板１５１と右眼用偏光板１５２との間に、ブラックマトリクス（図示省略）を配置してもよい。これにより、隣接する画素の光が混入しないので好ましい。
【００５４】
（実施の形態３）
図４は、実施の形態３に係る有機ＥＬ表示装置３００の断面図であって、図２に対応する図である。なお、有機ＥＬ表示装置１００、３００の基本的な構成は共通するので、共通する構成要素には同一の参照番号を付し、詳しい説明を省略する。
【００５５】
有機ＥＬ表示装置３００は、図４に示されるように、基板１１０と、駆動回路１２０と、発光層１３０と、封止層１４０と、カラーフィルタ１７０と、偏光制御板１５０とを、この順に積層して構成されている。すなわち、実施の形態３に係る有機ＥＬ表示装置３００は、封止層１４０と偏光制御板１５０との間にカラーフィルタ１７０を積層している点で、実施の形態１に係る有機ＥＬ表示装置１００と相違する。
【００５６】
カラーフィルタ１７０は、封止層１４０のすぐ上で、且つ偏光制御板１５０のすぐ下、すなわち、封止層１４０及び偏光制御板１５０の両方に接する位置に積層される。カラーフィルタ１７０は、赤色（Ｒ）フィルタ１７１と、緑色（Ｇ）フィルタ１７２と、青色（Ｂ）フィルタ１７３と、各色フィルタ１７１、１７２、１７３の間に配置されるブラックマトリクス１７４とで構成される。ブラックマトリクス１７４は、各画素の領域を規定し、隣接する画素間の光の混入を防止する。発光層１３０から発光する赤色（Ｒ）、緑色（Ｇ）、青色（Ｂ）の波長が所望の波長でない場合、カラーフィルタ１７０は、発光層１３０で発光した赤色（Ｒ）、緑色（Ｇ）、青色（Ｂ）の光を選択的に透過させ、それ以外の光の透過させない波長調整部材である。よって、色再現範囲が広がる。
【００５７】
上記構成によっても、従来と比較して偏光制御板１５０と発光層１３０との間の距離を近づけることができるので、クロストークの少ない立体視域を上下方向に拡大することができる。
【００５８】
（実施の形態４）
図５は、実施の形態４に係る有機ＥＬ表示装置４００の断面図であって、図４に対応する図である。なお、有機ＥＬ表示装置３００、４００の基本的な構成は共通するので、共通する構成要素には同一の参照番号を付し、詳しい説明を省略する。
【００５９】
有機ＥＬ表示装置４００は、図５に示されるように、基板１１０と、駆動回路１２０と、発光層１３０と、封止層１４０と、カラーフィルタ１７０と、偏光制御板１５０と、透明基板１６０とを、この順に積層して構成されている。すなわち、実施の形態４に係る有機ＥＬ表示装置４００は、偏光制御板１５０上にさらに透明基板１６０を積層している点で、実施の形態３に係る有機ＥＬ表示装置３００と相違する。
【００６０】
上記構成によっても、従来と比較して偏光制御板１５０と発光層１３０との間の距離を近づけることができるので、クロストークの少ない立体視域を上下方向に拡大することができる。
【００６１】
（実施の形態５）
図６は、実施の形態５に係る有機ＥＬ表示装置５００の断面図であって、図３に対応する図である。なお、有機ＥＬ表示装置２００、５００の基本的な構成は共通するので、共通する構成要素には同一の参照番号を付し、詳しい説明を省略する。
【００６２】
有機ＥＬ表示装置５００は、図６に示されるように、基板１１０と、駆動回路１２０と、発光層１３０と、封止層１４０と、偏光制御板１５０と、カラーフィルタ１７０と、透明基板１６０とを、この順に積層して構成されている。すなわち、実施の形態５に係る有機ＥＬ表示装置５００は、偏光制御板１５０と透明基板１６０との間にカラーフィルタ１７０を配置している点で、実施の形態２に係る有機ＥＬ表示装置２００と相違する。
【００６３】
上記構成によっても、従来と比較して偏光制御板１５０と発光層１３０との間の距離を近づけることができるので、クロストークの少ない立体視域を上下方向に拡大することができる。
【００６４】
また、上記構成のように、カラーフィルタ１７０を透明基板１６０すぐの下に形成する場合、顔料分散法などで容易に作成することができるので、プロセス上、有利である。
【００６５】
（実施の形態６）
図７は、実施の形態６に係る有機ＥＬ表示装置６００の断面図であって、図２に対応する図である。なお、有機ＥＬ表示装置１００、６００の基本的な構成は共通するので、共通する構成要素には同一の参照番号を付し、詳しい説明を省略する。
【００６６】
有機ＥＬ表示装置６００は、図７に示されるように、基板１１０と、駆動回路１２０と、発光層１３０と、封止層１４０と、透明基板１６０と、偏光制御板１５０とを、この順に積層して構成されている。すなわち、実施の形態６に係る有機ＥＬ表示装置６００は、封止層１４０と偏光制御板１５０との間に透明基板１６０を積層している点で、実施の形態１に係る有機ＥＬ表示装置１００と相違する。
【００６７】
実施の形態６に係る有機ＥＬ表示装置６００は、上記構成のように、封止層１４０上に透明基板１６０を形成し、透明基板１６０上に偏光制御板１５０を積層して構成されている。従来の有機ＥＬディスプレイは、ガラス基板を透明基板として用いた場合、強度と加工の観点より、ガラス基板の厚みを０．２ｍｍ以上にする必要があった。一方、実施の形態６では、偏光制御板１５０を設けているので、透明基板１６０をガラス基板とした場合でも、その厚みを０．２ｍｍ未満とすることができる。
【００６８】
上記構成によれば、偏光制御板１５０と透明基板１６０との位置関係は従来と同一であるものの、透明基板１６０の厚みを従来より遥かに薄くすることができる。その結果、従来と比較して偏光制御板１５０と発光層１３０との間の距離を近づけることができるので、クロストークの少ない立体視域を上下方向に拡大することができる。なお、図７ではトップエミッション型の例を説明したが、実施の形態６はボトムエミッション型にも適用することができる。
【００６９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００７０】
以上のように本発明は、立体表示装置を実現する上で有用である。
【符号の説明】
【００７１】
１０，１００，２００，３００，４００，５００，６００  有機ＥＬ表示装置
２０，１１０  基板
３０，１２０  駆動回路
４０，１３０  発光層
４１，１３１  反射電極
４２，１３２  正孔注入層
４３，１３３  正孔輸送層
４４，１３４  有機発光層
４５，１３５  電子輸送層
４６，１３６  透明電極
５０，１４０  封止層
５１，１４１  薄膜封止膜
５２，１４２  樹脂封止層
６０，１６０  透明基板
７０，１５０  偏光制御板
７１，７２  偏光板
１０１Ｌ  第１の画素線
１０１Ｒ  第２の画素線
１０２Ｌ  左眼用画像
１０２Ｒ  右眼用画像
１０３Ｒ，１０３Ｇ，１０３Ｂ  画素
１３７  バンク
１５１  左眼用偏光板
１５２  右眼用偏光板
１７０  カラーフィルタ
１７１  赤色（Ｒ）フィルタ
１７２  緑色（Ｇ）フィルタ
１７３  青色（Ｂ）フィルタ
１７４  ブラックマトリクス
９００  偏光めがね
９１０  左眼レンズ
９２０  右眼レンズ
【図１】
2012204012.tif 000003
【図２】
2012204012.tif 000004
【図３】
2012204012.tif 000005
【図４】
2012204012.tif 000006
【図５】
2012204012.tif 000007
【図６】
2012204012.tif 000008
【図７】
2012204012.tif 000009
【図８】
2012204012.tif 000010